(57)【要約】【課題】  ゴルフの練習者が、自分のスイングにおいて、ボールヒットの状態を把握できる練習用品の提供。【解決手段】  ボールに模した金属製薄膜で形成した中空構造物を、ゴルフクラブでヒットすることによって、課題の解決にあてる。【選択図】図１
2010207631.tif 000002
【特許請求の範囲】
【請求項１】
（イ）球体の球面の一部を象った球面ドーム形に、金属製の薄膜で、球面ドーム形金属製薄膜ドーム（１）および球面ドーム形金属製薄膜ドーム（１）の下端部外周（２）を形成する。
（ロ）金属製の薄膜で、中空の支柱である、金属製薄膜中空支柱（３）を形成し、この金属製薄膜中空支柱（３）の上部に、上記の、球面ドーム形金属製薄膜ドーム（１）の下端部外周（２）に対応する接続部（４）を設ける。
（ハ）上記の、球面ドーム形金属製薄膜ドーム（１）を、上記の、金属製薄膜中空支柱（３）の上側に保持する位置関係にて、球面ドーム形金属製薄膜ドーム（１）の下端部外周（２）を、金属製薄膜中空支柱（３）の上部に設けた接続部（４）に対応させて接続し、球面ドーム形金属製薄膜ドーム（１）を、金属製薄膜中空支柱（３）の上側に保持する。
以上のような構成の、ゴルフのボールヒット練習用品。
【発明の詳細な説明】
【技術分野】
【０００１】  本発明はゴルフのボールヒット練習用品に関するものである。
【背景技術】
【０００２】  ゴルフにおいて、上達するまでに膨大な時間がかかる一番の原因は、ゴルフクラブでボールを打っている当人が、クラブヘッドのどの部分がどんな風にボールに当たっているか、分からないからである。しかし、仮に、これが分かれば、無意味な練習をすることなく、加速度的に上達することが可能になる。【０００３】  従来の、クラブヘッドとボールの、打球時における位置関係を示すボールヒット練習用品としては、クラブヘッドのフェイスにシールを張り、この状態で実際にゴルフボールを打つと、このシールの、ボールの当たった部分にボールの痕跡が残る、というものがある。これは、クラブフェイスのどこにボールが当たったかを判別できるという点においては優れたものであるが、どんな風に当たったかは、ボールの飛び具合や打感などから総合的に判断する以外に方法がなく、ボールヒット練習用品単体としては、十分な効果があるとは言い難かった。
【発明の概要】
【発明が解決しようとする課題】
【０００４】  本発明は、ボールヒット練習用品を打つだけで、クラブヘッドのどの部分が、どんな風にボールに当たっているかを、このボールヒット練習用品に明確な痕跡として残し、これによって、練習者自身に、ボールヒット時におけるクラブヘッドの動きとボールの位置関係を、容易に把握できることを可能にしようとするものである。
【課題を解決するための手段】
【０００５】  本発明はこの課題を解決するために、以下のような構成とし、図１に示す。
（イ）球体の球面の一部を象った球面ドーム形に、金属製の薄膜で、球面ドーム形金属製薄膜ドーム（１）および球面ドーム形金属製薄膜ドーム（１）の下端部外周（２）を形成する。
（ロ）金属製の薄膜で、中空の支柱である、金属製薄膜中空支柱（３）を形成し、この金属製薄膜中空支柱（３）の上部に、上記の、球面ドーム形金属製薄膜ドーム（１）の下端部外周（２）に対応する接続部（４）を設ける。
（ハ）上記の、球面ドーム形金属製薄膜ドーム（１）を、上記の、金属製薄膜中空支柱（３）の上側に保持する位置関係にて、球面ドーム形金属製薄膜ドーム（１）の下端部外周（２）を、金属製薄膜中空支柱（３）の上部に設けた接続部（４）に対応させて接続し、球面ドーム形金属製薄膜ドーム（１）を、金属製薄膜中空支柱（３）の上側に保持する。
以上のような構成の、ゴルフのボールヒット練習用品である。【０００６】  上記のごとく、本発明は、金属製薄膜を有効に形成配置することで構成されている。球面ドーム形金属製薄膜ドーム（１）は、ボールの代わりの明確な目標になると同時に、クラブヘッドが当たれば、クラブヘッドの動きのままに変形してその痕跡を残すことができる。その下側に構成された金属製薄膜中空支柱（３）は、球面ドーム形金属製薄膜ドーム（１）を定位置に保持して、且つ、球面ドーム形金属製薄膜ドーム（１）の変形を妨げることがなく、金属製薄膜中空支柱（３）も、クラブヘッドの動きのままに変形し、その痕跡を残すことができる。よって、本発明全体として、クラブヘッドの当たった痕跡を、明確に残すことができる。これをもって、課題を解決するための手段とする。
【発明の効果】
【０００７】  本発明は以上のような構成のものなので、これを使用するときは、球面ドーム形金属製薄膜ドーム（１）が、金属製薄膜中空支柱（３）の上側にあるように、障害物のない安定した場所に置いて、向きと位置を示す穴（１１）の向きを決める。球面ドーム形金属製薄膜ドーム（１）をボールの一部分と想定し、ゴルフクラブでヒットする。すると、クラブヘッドが当たったところが、クラブヘッドが当たったかたちに変形し、本発明にクラブヘッドの痕跡ができる。【０００８】  練習者は、本発明に付いたクラブヘッドの痕跡から、自分のゴルフスイングにおいて、クラブヘッドがボールのどの位置を、クラブヘッドのどの部分で、ヒットしているかを、明確に知ることができる。クラブヘッドが不安定な入門者には向きと位置を示す穴（１１）がある方が分かりやすい。また、痕跡からは、クラブヘッドのスピード、クラブヘッドの入った方向、クラブヘッドの動きの安定度など、どのようにヒットしているかも知ることができる。これは、これまで、練習者が一番必要としていながら得られなかった情報が得られるということに外ならない。この情報は、純粋に物理的な情報なので、時としてなされる曖昧なアドバイスなどに惑わされることなく、上達の道を歩むことができる。本発明に残された痕跡は、長期間保存できるので、比較検討にも適したものといえる。また、安価に製造することができ、軽量であるので、遠くに飛ぶことがなく、室内でも安全に使用することができる。
【発明を実施するための形態】
【０００９】  本発明を実施するための最良の形態を、実際の製作工程の順序で説明する。
図２は、本発明を実施するための土台となる型（５）を示したもので、これを説明すると、
（ニ）両端断面の直径が、ゴルフボール直径より数ミリメートル大きい３８ミリメートル、高さ４０ミリメートルの木製円柱（６）を、円柱端部の両円形断面を上下にして、木製円柱（６）の断面直径より大きい木製平板（７）の上に固定設置する。
（ホ）ゴルフボールを、水平面で上下半分に切り分けて、切り分けられたゴルフボールの上半分（８）を、切断面を下にしたまま、上記の木製円柱（６）の上断面の中心に固定設置する。
以上のような型（５）である。
【００１０】  次に、一般的に流通市販されている、厚さ１１ミクロン程度のアルミフォイルを２枚重ねて、直径２００ミリメートル程の円形に切り抜く。
【００１１】  図３において、上記の、円形に切り抜いた２枚重ねのアルミフォイル（９）を型（５）の上から、アルミフォイル（９）の中心を型（５）の頂点に合わせて押し被せ、手指等で外側から型（５）に押しつける。アルミフォイル（９）の、重なりあった部分に、皺ができるので、木片などで押し潰す。
【００１２】  押し被せたアルミフォイル（９）の、上から見て、木製平板（７）上で、木製円柱（６）の直径より大きくはみ出している部分を、木製円柱（６）側に押し潰して、木製平板（７）と木製円柱（６）の接する円周周囲に、折り返し（１０）としてまとめる。
【００１３】  以上のように、成形されたアルミフォイル（９）を、形を崩さないように、型（５）から抜き取る。抜き取ったアルミフォイル（９）の一部にパンチして、向きと位置を示す穴（１１）をあける。
以上のような実施の形態であるが、これを図１に示す。
【００１４】  この実施の形態では、金属製薄膜中空支柱（３）の径が、球面ドーム形金属製薄膜ドーム（１）の下端部外周（２）の径より大きくなっている。これには、ボールの代わりの明確な目標となる球面ドーム形金属製薄膜ドーム（１）を視覚的に強調する意図と効果がある。
【００１５】  同様に、金属製薄膜中空支柱（３）の径を、球面ドーム形金属製薄膜ドーム（１）の下端部外周（２）の径より小さくしても、球面ドーム形金属製薄膜ドーム（１）の視覚的強調の効果が得られるので、この形態を図４に示す。
【００１６】  金属製薄膜中空支柱（３）および接続部（４）の径を、球面ドーム形金属製薄膜ドーム（１）の下端部外周（２）の径と同じにしたときは、使用するときに、斜め上の方から見ると、下端部外周（２）と接続部（４）の位置が視覚的に曖昧で、球面ドーム形金属製薄膜ドーム（１）のボールの代わりの明確な目標としての視覚的効果が薄くなるので、部分的に色分けするなど、何らかの目印があることが望ましい。金属製薄膜中空支柱（３）を、多角形の角柱形にしたり、円錐台形にするなども可能であり、これらは球面ドーム形金属製薄膜ドーム（１）の、ボールの代わりの明確な目標としての視覚的効果は得られるが、角柱形や円錐台形などの金属製薄膜中空支柱（３）は、ヒットしたときのクラブヘッドの痕跡が曖昧になりやすい。
【００１７】  また、上記、図１と図４に示した実施の形態では、球面ドーム形金属製薄膜ドーム（１）が、ちょうど半球の分になっているが、全球に対する比率をこれよりも増やしても、斜め上から見て打つ競技であるため、ボールの代わりの目標となる意味での効果は変わらない。逆に、図５に示すように、全球に対する比率をこれよりも減らすことは、ボールが地面に潜っている場合を想定した練習などに効果的である。
【００１８】  同じような意味合いで、ボールが傾斜地にある場合を想定すれば、図６に示すように、球面ドーム形金属製薄膜ドーム（１）の下端部外周（２）を水平面に対して傾きを持たせた形態も効果的といえる。
【００１９】  いずれの実施の形態においても、球面ドーム形金属製薄膜ドーム（１）の下端部外周（２）と、金属製薄膜中空支柱（３）の上部の接続部（４）の接続は、機能と効果を損なわない限りにおいて、断続的な接着などでも良く、隙間なく連続させる必要はない。また、本発明全体としての高さは、ボール位置より下側へのミスヒットを考えて、平らな場所に置いた本物のゴルフボールの高さより、少し高くしておくことが望ましい。
【００２０】  金属製薄膜の厚みと強度は、標準的なスイングスピードでヒットしたときに明確な痕跡ができること、できるだけクラブヘッドを傷つけないことなどを考慮しなければならない。アルミニウムを直接プレスする場合や、アルミニウム以外の金属を使う場合は、金属の硬度、比重、変形に対する各部の強度等を考えて、実際の形態を製作し、それぞれテストする必要がある。クラブヘッドの傷つきを防ぐために、金属製薄膜に合成樹脂や塗料でコートすることもできるが、痕跡が曖昧になりやすい。また、製作を単一材料によれば、素材の再生再利用も簡単で、省資源にもつながる。本発明の、向きと位置を示す方法として、シールなどを貼る方法もあるが、上記実施の形態では、再生再利用を考えて、向きと位置を示す穴（１１）とした。
【図面の簡単な説明】
【００２１】
【図１】  本発明の実施形態の斜視図。
【図２】  製作の土台となる型の斜視図。
【図３】  製作過程を示す斜視図。
【図４】  本発明の実施形態の斜視図。
【図５】  本発明の実施形態の斜視図。
【図６】  本発明の実施形態の斜視図。
【符号の説明】
【００２２】  １  球面ドーム形金属製薄膜ドーム
２  球面ドーム形金属製薄膜ドーム（１）の下端部外周
３  金属製薄膜中空支柱
４  金属製薄膜中空支柱（３）の上部の接続部
５  本発明を実施するための土台となる型
６  木製円柱
７  木製平板
８  切り分けられたゴルフボールの上半分
９  切り抜いたアルミフォイル
１０  折り返し
１１  向きと位置を示す穴
【図１】
2010207631.tif 000003
【図２】
2010207631.tif 000004
【図３】
2010207631.tif 000005
【図４】
2010207631.tif 000006
【図５】
2010207631.tif 000007
【図６】
2010207631.tif 000008